(57)【要約】【課題】メガホンから発せられる音の大きさを、構造的に容易に調節することができるメガホンを提供する。【解決手段】メガホン１１は、中央拡声筒２１に側部拡声筒３１および側部拡声筒３２と対向する筒対向側面に所定の幅を持つ凹部が設けられている。また、メガホン１１は、側部拡声筒３１の中央拡声筒２１に対向する面に、スロープ状突起部が形成されている。同様に、メガホン１１は、側部拡声筒３２の中央拡声筒２１に対向する面にも、スロープ状突起部が形成されている。これにより、中央拡声筒２１と、側部拡声筒３１および側部拡声筒３２と、の接触する面積の調整を簡単に行うことができるとともに、中央拡声筒２１と、側部拡声筒３１および側部拡声筒３２と、が衝突する強さの調整を簡単に行うことができ、メガホン１１から発せられる音の大きさを、構造的に容易に調節することができる。【選択図】図１
0003176779.tif 000002
【実用新案登録請求の範囲】
【請求項１】
一端部から他端部に向けて太くなるよう形成された中空の複数の拡声筒と、
前記複数の拡声筒を並べて連結し、前記一端部を把持する連結筒と、
を備え、
前記複数の拡声筒は、
両側面に前記拡声筒が配置される中央拡声筒と、
片側面のみに前記拡声筒が配置される側部拡声筒と、
を備え、
前記中央拡声筒は、他の前記拡声筒と対向する筒対向側面に所定の幅を持つ凹部を有する、断面が略長方形に形成され、
前記側部拡声筒は、
前記連結筒に把持される被連結部と、
前記中央拡声筒の筒対向側面と対向する筒対向側面を有し、前記被連結部と所定の角度を持って一体形成された筒本体部と、
を有することを特徴とするメガホン。
【請求項２】
前記側部拡声筒は、前記筒対向側面の前記筒本体部と前記被連結部との接続部近傍に、前記中央拡声筒の筒対向側面と接触するスロープ状突起部が形成されていることを特徴とする請求項１に記載のメガホン。
【請求項３】
前記中央拡声筒は、前記側部拡声筒の前記筒本体部と前記被連結部との接続部近傍に対向する、前記筒対向側面の一部に、前記側部拡声筒の筒対向側面と接触するスロープ状突起部が形成されていることを特徴とする請求項１に記載のメガホン。
【請求項４】
前記スロープ状突起部は、外壁のみで形成されていることを特徴とする請求項２または請求項３に記載のメガホン。
【請求項５】
前記スロープ状突起部は、弾性部材により形成されていることを特徴とする請求項２から請求項４のいずれか１項に記載のメガホン。
【請求項６】
一端部から他端部に向けて太くなるよう形成された中空の複数の拡声筒と、
前記複数の拡声筒を並べて連結し、前記一端部を把持する連結筒と、
を備え、
前記複数の拡声筒は、
両側面に前記拡声筒が配置される中央拡声筒と、
片側面のみに前記拡声筒が配置される側部拡声筒と、
を備え、
前記側部拡声筒は、
前記連結筒に把持される被連結部と、
他の前記拡声筒と対向する筒対向側面に所定の幅を持つ凹部を有し、前記被連結部と所定の角度を持って一体形成された筒本体部と、
を有することを特徴とするメガホン。
【請求項７】
前記中央拡声筒は、前記側部拡声筒の前記筒本体部と前記被連結部との接続部近傍に対向する、他の前記拡声筒と対向する筒対向側面の一部に、前記側部拡声筒の筒対向側面と接触するスロープ状突起部が形成されていることを特徴とする請求項６に記載のメガホン。
【請求項８】
前記側部拡声筒は、前記筒対向側面の前記筒本体部と前記被連結部との接続部近傍に、前記中央拡声筒の筒対向側面と接触するスロープ状突起部が形成されていることを特徴とする請求項６に記載のメガホン。
【請求項９】
前記スロープ状突起部は、外壁のみで形成されていることを特徴とする請求項７または請求項８に記載のメガホン。
【請求項１０】
前記スロープ状突起部は、弾性部材により形成されていることを特徴とする請求項７から請求項９のいずれか１項に記載のメガホン。
【考案の詳細な説明】
【技術分野】
【０００１】
本考案は、メガホンに関し、特に、スポーツの応援等において使用するメガホンに関する。
【背景技術】
【０００２】
従来、野球やサッカーなどの応援において使用するメガホンは、円錐状の筒形のものが知られている。このような一般のメガホンは、拡声器としての利用と、メガホンを手の平に打ちつけて拍子木の代用にする利用と、がある。
【０００３】
このようなメガホンとして、例えば、一つのメガホンを二つの筒体に分離し、分離した筒体同士を拍子木風に叩き合わせることにより、簡単に音を出すようにしたメガホンが提案されている（特許文献１参照）。
【０００４】
また、このようなメガホンは、野球チームやサッカーチームの公式グッズとして使用されることがあるが、公式グッズとして販売するためには、チームの認定を得ることが必要となる。
【０００５】
ここで、各チームは、このようなメガホンを査定して、認定を与えることとなるわけだが、各チームによって事情は異なり、メガホンに対する要求も異なることがある。例えば、メガホンによる大きな音で盛り上げたいというチームもあれば、あまり大きな音を出させたくないというチームもある。
【０００６】
具体的には、観戦者による生の声による声援を大事にするチームでは、メガホンのような、いわゆる、鳴り物による応援の音はなるべく大きくしたくないといったこともあるし、野球場、サッカー場、競技場等の周辺環境の問題、例えば、近隣に住宅地があり、苦情が来る等の理由で、大きな音を出せないといった事情もある。
【先行技術文献】
【特許文献】
【０００７】
【特許文献１】特開平１０−２６８８６９号公報
【考案の概要】
【考案が解決しようとする課題】
【０００８】
しかしながら、上述した従来のメガホンにおいては、メガホンから発せられる音の大きさを、大きくしたり、小さくしたりすることが、製造段階であっても簡単に行うことができず、適切に調節することができないという問題があった。例えば、メガホンから発せられる音の大きさを変更しようとすると、本体の硬さや柔軟性を変えるなどといった、材質そのものを変えるなど、根本的な制作段階の変更を行わなければならず、容易に音の調節をすることができないという問題があった。
【０００９】
本考案は、このような従来の課題を解決するためになされたもので、メガホンから発せられる音の大きさを、構造的に容易に調節することができるメガホンを提供することを課題とする。
【課題を解決するための手段】
【００１０】
上記課題を解決するため、（１）本考案は、一端部から他端部に向けて太くなるよう形成された中空の複数の拡声筒と、前記複数の拡声筒を並べて連結し、前記一端部を把持する連結筒と、を備え、
前記複数の拡声筒は、両側面に前記拡声筒が配置される中央拡声筒と、片側面のみに前記拡声筒が配置される側部拡声筒と、を備え、
前記中央拡声筒は、他の前記拡声筒と対向する筒対向側面に所定の幅を持つ凹部を有する、断面が略長方形に形成され、前記側部拡声筒は、前記連結筒に把持される被連結部と、前記中央拡声筒の筒対向側面と対向する筒対向側面を有し、前記被連結部と所定の角度を持って一体形成された筒本体部と、を有することを特徴とする。
【００１１】
また、（２）本考案は、前記側部拡声筒が、前記筒対向側面の前記筒本体部と前記被連結部との接続部近傍に、前記中央拡声筒の筒対向側面と接触するスロープ状突起部が形成されていることを特徴とすることを特徴とする。
【００１２】
さらに、（３）本考案は、前記中央拡声筒が、前記側部拡声筒の前記筒本体部と前記被連結部との接続部近傍に対向する、前記筒対向側面の一部に、前記側部拡声筒の筒対向側面と接触するスロープ状突起部が形成されていることを特徴とする。
【００１３】
さらに、（４）本考案は、前記スロープ状突起部が、外壁のみで形成されていることを特徴とする。
【００１４】
さらに、（５）本考案は、前記スロープ状突起部が、弾性部材により形成されていることを特徴とする。
【００１５】
さらに、（６）本考案は、一端部から他端部に向けて太くなるよう形成された中空の複数の拡声筒と、前記複数の拡声筒を並べて連結し、前記一端部を把持する連結筒と、を備え、
前記複数の拡声筒は、両側面に前記拡声筒が配置される中央拡声筒と、片側面のみに前記拡声筒が配置される側部拡声筒と、を備え、
前記側部拡声筒は、前記連結筒に把持される被連結部と、他の前記拡声筒と対向する筒対向側面に所定の幅を持つ凹部を有し、前記被連結部と所定の角度を持って一体形成された筒本体部と、を有することを特徴とする。
【考案の効果】
【００１６】
本考案によれば、メガホンから発せられる音の大きさを、構造的に容易に調節することができるメガホンを提供することができる。
【図面の簡単な説明】
【００１７】
【図１】第１の実施の形態におけるメガホンの概略構成を示す斜視図である。
【図２】中央拡声筒の概略構成を示す斜視図である。
【図３】側部拡声筒の概略構成を示す側面図および下面図である。
【図４】メガホンの概略構成を示す断面図である。
【図５】第２の実施の形態におけるメガホンおよび中央拡声筒の概略構成を示す斜視図である。
【図６】第３の実施の形態におけるメガホンおよび側部拡声筒の概略構成を示す斜視図である。
【考案を実施するための形態】
【００１８】
以下、本考案の実施の形態におけるメガホンについて、図面を参照して説明する。
【００１９】
［第１の実施の形態］
図１は、本実施の形態におけるメガホンの概略構成を示す斜視図である。 
図１に示すように、メガホン１１は、中央拡声筒２１と、２つの側部拡声筒３１、３２と、連結筒４１と、を備えている。 
なお、以下の説明では、中央拡声筒２１に対して、側部拡声筒３１の配置されている方向を上方とし、側部拡声筒３２の配置されている方向を下方とする。また、上下方向に垂直でメガホン１１の長手方向を側面とする。
【００２０】
図２に、中央拡声筒の概略構成を示す斜視図を示し、説明する。 
図２に示すように、中央拡声筒２１は、中空で、一端部（以下、基端部という）２１ａから他端部（以下、先端部という）２１ｂに向けて太くなるように形成されている。また、中央拡声筒２１は、基端部２１ａ側に配置された中央被連結部２１ｃと、先端部２１ｂ側に配置された中央筒本体部２１ｄと、により構成されている。なお、中央被連結部２１ｃと中央筒本体部２１ｄとは、一体形成されている。
【００２１】
中央被連結部２１ｃは、断面が略長方形の形状となっている。また、中央被連結部２１ｃは、上面に窪み部２１ｅ、２１ｆが設けられている。さらに、中央被連結部２１ｃには、図示しない下面にも同様に、窪み部が２ヶ所設けられている。
【００２２】
また、中央被連結部２１ｃは、側面に溝部２１ｇ、２１ｈが設けられている。さらに、中央被連結部２１ｃは、上面に台形の凹部２１ｉが設けられている。また、中央被連結部２１ｃには、図示しない下面にも同様に、台形の凹部が設けられている。
【００２３】
中央筒本体部２１ｄは、断面が略長方形の形状となっており、中央被連結部２１ｃ側から先端部２１ｂに向けて太くなるように形成されている。また、中央筒本体部２１ｄは、断面長方形の長辺となる面、すなわち、上面および下面に、台形の凹部２１ｋ、２１ｌが設けられている。そして、この凹部２１ｋ、２１ｌは、中央被連結部２１ｃ側から先端部２１ｂに向けて広がるように形成されている。
【００２４】
次に、図３に側部拡声筒３１の概略構成を示す側面図および下面図を示し、説明する。なお、側部拡声筒３１においては、中央拡声筒２１に対向する面側を下面とする。
【００２５】
図３に示すように、側部拡声筒３１は、中空で、一端部（以下、基端部という）３１ａから他端部（以下、先端部という）３１ｂに向けて太くなるように形成されている。また、側部拡声筒３１は、基端部３１ａ側に配置された側部被連結部３１ｃと、先端部３１ｂ側に配置された側部筒本体部３１ｄと、により構成されている。
【００２６】
なお、側部筒本体部３１ｄは、側部被連結部３１ｃに対して、外側（図中上側）に所定の角度開いた状態で一体形成されている。また、側部拡声筒３１は、上記角度が変形する程度に柔軟性を有している。
【００２７】
側部被連結部３１ｃは、断面が略弓形の形状となっている。また、側部被連結部３１ｃは、下面に突起部３１ｅ、３１ｆが設けられている。さらに、側部被連結部３１ｃは、下面以外の外周に溝部３１ｇが設けられている。
【００２８】
側部筒本体部３１ｄは、断面が略弓形の形状となっており、側部被連結部３１ｃ側から先端部３１ｂに向けて太くなるように形成されている。また、側部筒本体部３１ｄは、下面の側部被連結部３１ｃ側の一部に、中央拡声筒２１の中央筒本体部２１ｄと接触するスロープ状突起部３１ｍが形成されている。
【００２９】
このスロープ状突起部３１ｍは、底部が側部筒本体部３１ｄの下面に固定され、側部被連結部３１ｃ側が低く、先端部３１ｂに向けて斜面が高くなるように形成されている。また、このスロープ状突起部３１ｍは、外壁のみで形成されている。さらに、このスロープ状突起部３１ｍは、側部被連結部３１ｃおよび側部筒本体部３１ｄと同一の材料で一体形成されている。
【００３０】
ここで、スロープ状突起部３１ｍの材質は、第１に側部被連結部３１ｃおよび側部筒本体部３１ｄと同一の材質が考えられる。また、スロープ状突起部３１ｍの材質として、他にはゴム等の弾性部材が考えられる。このように、スロープ状突起部３１ｍの材質は、合成樹脂、ゴム等、多様なものが考えられる。
【００３１】
また、側部拡声筒３２は、側部拡声筒３１と上下が逆転した同様の構成である。さらに、本実施の形態においては、中央拡声筒２１および側部拡声筒３１、３２は、異なる色（例えば、赤、青、黄色）の着色が施された合成樹脂により形成されている。ここで、中央拡声筒２１および側部拡声筒３１、３２の各色は、チームカラー（例えば、赤、白、黒色）であることが望ましい。さらに、この中央拡声筒２１および側部拡声筒３１、３２の各色は、２色（例えば、赤、白）であったり、１色（例えば、赤）であっても良い。 
なお、本実施の形態においては、側部拡声筒３１および側部拡声筒３２の断面形状を、弓形としたが、これに限らず、長方形であったり、台形であったり、あるいは、五角形等であっても良い。
【００３２】
図４は、本実施の形態におけるメガホンの概略構成を示す断面図である。 
図４に示すように、連結筒４１は、断面が略円形の筒形状であり、内部に環状突起部４１ａが設けられている。また、連結筒４１は、中央拡声筒２１、側部拡声筒３１および側部拡声筒３２を並べて連結し、各被連結部を一体的に把持するようになっている。さらに、連結筒４１は、中央拡声筒２１、側部拡声筒３１および側部拡声筒３２が、全体として略円錐形状となるように、把持するものである。
【００３３】
このように構成されたメガホン１１は、まず、中央拡声筒２１の上面に側部拡声筒３１を合わせ、中央拡声筒２１の下面に側部拡声筒３２を合わせる。具体的には、中央拡声筒２１の上面の窪み部２１ｅ、２１ｆに、側部拡声筒３１の突起部３１ｅ、３１ｆを合わせる。また、中央拡声筒２１の下面の窪み部に、側部拡声筒３２の突起部を合わせ、中央拡声筒２１、側部拡声筒３１および側部拡声筒３２を一体化させる。
【００３４】
次に、一体化させた中央拡声筒２１、側部拡声筒３１および側部拡声筒３２の被連結部を、連結筒４１に挿入させる。一体化させた中央拡声筒２１、側部拡声筒３１および側部拡声筒３２の被連結部を、連結筒４１に所定の位置まで挿入させると、側部拡声筒３１の溝部３１ｇ、中央拡声筒２１の溝部２１ｇ、２１ｈ、および、側部拡声筒３２の溝部に、連結筒４１の環状突起部４１ａが嵌まり込み、連結筒４１からの抜けが防止される。
【００３５】
一方、側部拡声筒３１には、スロープ状突起部３１ｍが設けられているので、中央拡声筒２１の中央筒本体部２１ｄと、側部拡声筒３１の側部筒本体部３１ｄと、の間に隙間が形成される。同様に、側部拡声筒３２にも、スロープ状突起部が設けられているので、中央拡声筒２１の中央筒本体部２１ｄと、側部拡声筒３２の側部筒本体部と、の間にも隙間が形成される。
【００３６】
また、中央拡声筒２１の中央筒本体部２１ｄの上面には、台形の凹部２１ｋが設けられているので、この凹部２１ｋによっても、中央拡声筒２１の中央筒本体部２１ｄと、側部拡声筒３１の側部筒本体部３１ｄと、の間に隙間が形成される。同様に、中央拡声筒２１の中央筒本体部２１ｄの下面には、台形の凹部２１ｌが設けられているので、この凹部２１ｌによっても、中央拡声筒２１の中央筒本体部２１ｄと、側部拡声筒３２の側部筒本体部と、の間にも隙間が形成される。
【００３７】
このようなメガホン１１を、上下に振ったり、手や物にぶつけて叩くと、側部拡声筒３１および側部拡声筒３２は所定の柔軟性を有しているので、側部拡声筒３１の側部筒本体部３１ｄと中央拡声筒２１の中央筒本体部２１ｄ、および、中央拡声筒２１の中央筒本体部２１ｄと側部拡声筒３２の側部筒本体部、が衝突し、音が発せられる。
【００３８】
このとき、中央拡声筒２１の中央筒本体部２１ｄに設けられた凹部２１ｋ、２１ｌの大きさ、特に幅によって、側部拡声筒３１と中央拡声筒２１、および、中央拡声筒２１と側部拡声筒３２の接触面積が調整される。そして、この側部拡声筒３１と中央拡声筒２１、および、中央拡声筒２１と側部拡声筒３２の接触面積の違いにより、メガホン１１から発せられる音の大きさが異なることとなる。
【００３９】
また、スロープ状突起部３１ｍの大きさ、特に高さ、柔軟性、および、側部拡声筒３１および側部拡声筒３２の柔軟性によっても、メガホン１１から発せられる音の大きさが異なることとなる。
【００４０】
以上のように、本実施の形態におけるメガホン１１は、中央拡声筒２１に側部拡声筒３１および側部拡声筒３２と対向する筒対向側面に所定の幅を持つ凹部２１ｋ、２１ｌが設けられているので、中央拡声筒２１と、側部拡声筒３１および側部拡声筒３２と、の接触する面積の調整を簡単に行うことができ、メガホン１１から発せられる音の大きさを、構造的に容易に調節することができる。
【００４１】
また、本実施の形態におけるメガホン１１は、側部拡声筒３１の中央拡声筒２１に対向する面に、スロープ状突起部３１ｍが形成されている。また、本実施の形態におけるメガホン１１は、側部拡声筒３２の中央拡声筒２１に対向する面にも、スロープ状突起部が形成されている。したがって、中央拡声筒２１と、側部拡声筒３１および側部拡声筒３２と、が衝突する強さの調整を簡単に行うことができ、メガホン１１から発せられる音の大きさを、構造的に容易に調節することができる。
【００４２】
［第２の実施の形態］
次に、本考案の第２の実施の形態におけるメガホンについて、図面を参照して説明する。 
図５は、本実施の形態におけるメガホンの概略構成を示す斜視図、および、中央拡声筒の概略構成を示す斜視図である。
【００４３】
図５に示すように、本実施の形態におけるメガホン１２は、中央拡声筒２３と、２つの側部拡声筒３３、３４と、連結筒４３と、を備えている。 
なお、以下の説明では、中央拡声筒２３に対して、側部拡声筒３３の配置されている方向を上方とし、側部拡声筒３４の配置されている方向を下方とする。また、上下方向に垂直でメガホン１２の長手方向を側面とする。
【００４４】
図５に示すように、中央拡声筒２３は、中空で、一端部（以下、基端部という）２３ａから他端部（以下、先端部という）２３ｂに向けて太くなるように形成されている。また、中央拡声筒２３は、基端部２３ａ側に配置された中央被連結部２３ｃと、先端部２３ｂ側に配置された中央筒本体部２３ｄと、により構成されている。なお、中央被連結部２３ｃと中央筒本体部２３ｄとは、一体形成されている。
【００４５】
中央被連結部２３ｃは、上記実施の形態における中央被連結部２１ｃと同様の構成であるので、説明を省略する。
【００４６】
中央筒本体部２３ｄは、上記実施の形態における中央筒本体部２１ｄと同様の構成に、一部突起部が形成されている。中央筒本体部２１ｄと同様の構成については、説明を省略する。
【００４７】
中央筒本体部２３ｄの上面には、スロープ状突起部２３ｍが形成されている。スロープ状突起部２３ｍは、中央筒本体部２３ｄの上面において、中央被連結部２３ｃ側の一部に形成されている。 
また、スロープ状突起部２３ｍは、底部が中央筒本体部２３ｄの上面に固定され、中央被連結部２３ｃ側が低く、先端部２３ｂに向けて斜面が高くなるように形成されている。また、このスロープ状突起部２３ｍは、外壁のみではなく、全面がスロープ状に形成されている。
【００４８】
さらに、このスロープ状突起部２３ｍは、中央被連結部２３ｃおよび中央筒本体部２３ｄと同一の材料で一体形成されている。また、本実施の形態においても、スロープ状突起部２３ｍの材質は、ゴム等の弾性部材をはじめとする、他の材質であっても良い。
【００４９】
また、中央筒本体部２３ｄの下面においても、スロープ状突起部２３ｍと同様な、図示しないスロープ状突起部が形成されている。すなわち、中央筒本体部２３ｄの下面は、中央筒本体部２３ｄの上面と上下が逆転した同様の構成となっている。
【００５０】
側部拡声筒３３は、上記実施の形態における側部拡声筒３１と同様の構成であり、スロープ状突起部３１ｍが設けられていないことだけが異なっている。また、側部拡声筒３４は、側部拡声筒３３と上下が逆転した同様の構成である。したがって、側部拡声筒３３および側部拡声筒３４の説明は、省略する。
【００５１】
連結筒４３は、上記実施の形態における連結筒４１と同様の構成であり、内部に環状突起部が設けられている。また、連結筒４３は、中央拡声筒２３、側部拡声筒３３および側部拡声筒３４を並べて連結し、各被連結部を一体的に把持するようになっている。
【００５２】
このように構成されたメガホン１２は、上記実施の形態のメガホン１１と同様に、まず、中央拡声筒２３の上面に側部拡声筒３３を合わせ、中央拡声筒２３の下面に側部拡声筒３４を合わせる。具体的には、中央拡声筒２３の上面の窪み部に、側部拡声筒３３の突起部を合わせる。また、中央拡声筒２３の下面の窪み部に、側部拡声筒３４の突起部を合わせ、中央拡声筒２３、側部拡声筒３３および側部拡声筒３４を一体化させる。
【００５３】
次に、一体化させた中央拡声筒２３、側部拡声筒３３および側部拡声筒３４の被連結部を、連結筒４３に挿入させる。一体化させた中央拡声筒２３、側部拡声筒３３および側部拡声筒３４の被連結部を、連結筒４３に所定の位置まで挿入させると、側部拡声筒３３の溝部、中央拡声筒２３の溝部、および、側部拡声筒３４の溝部に、連結筒４３の環状突起部が嵌まり込み、連結筒４３からの抜けが防止される。
【００５４】
一方、中央拡声筒２３の上面には、スロープ状突起部２３ｍが設けられているので、中央拡声筒２３の中央筒本体部２３ｄと、側部拡声筒３３の側部筒本体部と、の間に隙間が形成される。同様に、中央拡声筒２３の下面にも、スロープ状突起部が設けられているので、中央拡声筒２３の中央筒本体部２３ｄと、側部拡声筒３４の側部筒本体部と、の間にも隙間が形成される。
【００５５】
したがって、中央拡声筒２３に設けられたスロープ状突起部２３ｍの大きさ、特に高さ、柔軟性によって、メガホン１２から発せられる音の大きさが異なることとなる。
【００５６】
以上のように、本実施の形態におけるメガホン１２は、中央拡声筒２３の側部拡声筒３３に対向する面に、スロープ状突起部２３ｍが形成されている。また、本実施の形態におけるメガホン１２は、中央拡声筒２３の側部拡声筒３４に対向する面にも、スロープ状突起部が形成されている。したがって、中央拡声筒２３と、側部拡声筒３３および側部拡声筒３４と、が衝突する強さの調整を簡単に行うことができ、メガホン１２から発せられる音の大きさを、構造的に容易に調節することができる。
【００５７】
［第３の実施の形態］
次に、本考案の第３の実施の形態におけるメガホンについて、図面を参照して説明する。 
図６は、本実施の形態におけるメガホンの概略構成を示す斜視図、および、側部拡声筒の概略構成を示す斜視図である。
【００５８】
図６に示すように、本実施の形態におけるメガホン１３は、中央拡声筒２５と、２つの側部拡声筒３５、３６と、連結筒４５と、を備えている。 
なお、以下の説明では、中央拡声筒２５に対して、側部拡声筒３５の配置されている方向を上方とし、側部拡声筒３６の配置されている方向を下方とする。また、上下方向に垂直でメガホン１３の長手方向を側面とする。
【００５９】
中央拡声筒２５は、上記実施の形態における中央拡声筒２１と同様の構成、または、中央拡声筒２１の凹部２１ｋが設けられていない側面が平坦なものとなっている。中央拡声筒２５の詳細な説明は、省略する。
【００６０】
図６に示すように、側部拡声筒３５は、中空で、一端部（以下、基端部という）３５ａから他端部（以下、先端部という）３５ｂに向けて太くなるように形成されている。また、側部拡声筒３５は、基端部３５ａ側に配置された側部被連結部３５ｃと、先端部３５ｂ側に配置された側部筒本体部３５ｄと、により構成されている。なお、側部被連結部３５ｃと側部筒本体部３５ｄとは、一体形成されている。
【００６１】
側部被連結部３５ｃは、上記実施の形態における側部被連結部３１ｃと同様の構成であるので、説明を省略する。
【００６２】
側部筒本体部３５ｄは、上記実施の形態における側部筒本体部３１ｄと同様の構成に、下面に台形の凹部３５ｋが設けられている。そして、この凹部３５ｋは、側部被連結部３５ｃ側から先端部３５ｂに向けて広がるように形成されている。なお、側部筒本体部３１ｄと同様の構成については、説明を省略する。
【００６３】
また、側部拡声筒３６は、側部拡声筒３５と上下が逆転した同様の構成である。このため、側部拡声筒３６の説明も省略する。
【００６４】
連結筒４５は、上記実施の形態における連結筒４１または連結筒４３と同様の構成であり、内部に環状突起部が設けられている。また、連結筒４５は、中央拡声筒２５、側部拡声筒３５および側部拡声筒３６を並べて連結し、各被連結部を一体的に把持するようになっている。
【００６５】
このように構成されたメガホン１３は、上記実施の形態のメガホン１１、メガホン１３と同様に、まず、中央拡声筒２５の上面に側部拡声筒３５を合わせ、中央拡声筒２５の下面に側部拡声筒３６を合わせる。具体的には、中央拡声筒２５の上面の窪み部に、側部拡声筒３５の突起部を合わせる。また、中央拡声筒２５の下面の窪み部に、側部拡声筒３６の突起部を合わせ、中央拡声筒２５、側部拡声筒３５および側部拡声筒３６を一体化させる。
【００６６】
次に、一体化させた中央拡声筒２５、側部拡声筒３５および側部拡声筒３６の被連結部を、連結筒４５に挿入させる。一体化させた中央拡声筒２５、側部拡声筒３５および側部拡声筒３６の被連結部を、連結筒４５に所定の位置まで挿入させると、側部拡声筒３５の溝部、中央拡声筒２５の溝部、および、側部拡声筒３６の溝部に、連結筒４５の環状突起部が嵌まり込み、連結筒４５からの抜けが防止される。
【００６７】
また、側部拡声筒３５の側部筒本体部３５ｄの下面には、台形の凹部３５ｋが設けられているので、この凹部３５ｋによって、中央拡声筒２５の中央筒本体部と、側部拡声筒３５の側部筒本体部３５ｄと、の間に隙間が形成される。同様に、側部拡声筒３６の側部筒本体部の上面には、台形の凹部が設けられているので、この凹部によっても、中央拡声筒２５の中央筒本体部と、側部拡声筒３６の側部筒本体部と、の間にも隙間が形成される。
【００６８】
このようなメガホン１３を、上下に振ったり、手や物にぶつけて叩くと、側部拡声筒３５および側部拡声筒３６は所定の柔軟性を有しているので、側部拡声筒３５の側部筒本体部３５ｄと中央拡声筒２５の中央筒本体部、および、中央拡声筒２５の中央筒本体部と側部拡声筒３６の側部筒本体部、が衝突し、音が発せられる。
【００６９】
このとき、側部拡声筒３５の側部筒本体部３５ｄに設けられた凹部３５ｋ、および、側部拡声筒３６の側部筒本体部に設けられた凹部の大きさ、特に幅によって、側部拡声筒３５と中央拡声筒２５、および、中央拡声筒２５と側部拡声筒３６の接触面積が調整される。そして、この側部拡声筒３５と中央拡声筒２５、および、中央拡声筒２５と側部拡声筒３６の接触面積の違いにより、メガホン１３から発せられる音の大きさが異なることとなる。
【００７０】
以上のように、本実施の形態におけるメガホン１３は、側部拡声筒３５に中央拡声筒２５と対向する筒対向側面に所定の幅を持つ凹部３５ｋが設けられている。また、本実施の形態におけるメガホン１３は、側部拡声筒３６に中央拡声筒２５と対向する筒対向側面に所定の幅を持つ凹部が設けられている。したがって、中央拡声筒２５と、側部拡声筒３５および側部拡声筒３６と、の接触する面積の調整を簡単に行うことができ、メガホン１３から発せられる音の大きさを、構造的に容易に調節することができる。
【００７１】
なお、本実施の形態におけるメガホンでは、中央拡声筒または側部拡声筒に設ける凹部を、中央拡声筒または側部拡声筒の何れか一方に設けるようにしているが、これに限らず、中央拡声筒または側部拡声筒の双方に設けるようにしても良い。
【００７２】
また、本実施の形態におけるメガホンでは、中央拡声筒に設ける凹部を、１つとしているが、これに限らず、複数設けるようにしても良い。また、側部拡声筒に設ける凹部についても同様に、１つとしているが、これに限らず、複数設けるようにしても良い。
【００７３】
さらに、本実施の形態におけるメガホンでは、スロープ状突起部を、側部拡声筒または中央拡声筒の何れか一方に設けるようにしているが、これに限らず、側部拡声筒および中央拡声筒の双方に設けるようにしても良い。
【００７４】
さらに、本実施の形態におけるメガホンでは、拡声筒として、中央拡声筒と２つの側部拡声筒による３つの拡声筒を設けるようにしているが、これに限らず、拡声筒の数はいくつ設けるようにしても良い。例えば、中央拡声筒を３つ設けて、５つの拡声筒からなるようにしても良い。
【００７５】
以上説明したように、本考案に係るメガホンは、メガホンから発せられる音の大きさを、構造的に容易に調節することができるという効果を有し、特に、スポーツの応援等において使用するメガホン等として有用である。
【符号の説明】
【００７６】
１１、１２、１３  メガホン
２１、２３、２５  中央拡声筒
２１ａ、２３ａ  基端部
２１ｂ、２３ｂ  先端部
２１ｃ、２３ｃ  中央被連結部
２１ｄ、２３ｄ  中央筒本体部
２１ｅ、２１ｆ  窪み部
２１ｇ、２１ｈ  溝部
２１ｉ  凹部
２１ｋ、２１ｌ  凹部
２３ｍ  スロープ状突起部
３１、３２、３３、３４、３５、３６  側部拡声筒
３１ａ、３５ａ  基端部
３１ｂ、３５ｂ  先端部
３１ｃ、３５ｃ  側部被連結部
３１ｄ、３５ｄ  側部筒本体部
３１ｅ、３１ｆ  突起部
３１ｇ  溝部
３１ｍ  スロープ状突起部
３５ｋ  凹部
４１、４３、４５  連結筒
４１ａ  環状突起部
【図１】
0003176779.tif 000003
【図２】
0003176779.tif 000004
【図３】
0003176779.tif 000005
【図４】
0003176779.tif 000006
【図５】
0003176779.tif 000007
【図６】
0003176779.tif 000008